(57)【要約】      （修正有）【課題】機械と電動措置迅速研磨を利用し、操作経験が必要なく、簡単に使え、スムーズに移動できるスチールパイプ研磨機を提供する。【解決手段】上ボディーフレーム１、下ボディーフレーム１０及び上下フレーム１、１０の間に設計された支柱９を含み、その上ボディーフレーム１の中に第一フィードスクリュー４を設けてあり、第一フィードスクリュー４の上にその第一フィードスクリュー４とネジとを合わせて繋げた第一ネジスリーブ２、第一フィードスクリューの右側にパッシブラウンド８があり、そのパッシブラウンド８の上に駆動輪６がある。駆動輪６とパッシブラウンド８の間にベルト７があり、駆動輪６と第一駆動モーター５に繋がる。その第一駆動モーター５と上ボディーフレームとが繋がり、第一ネジスリーブ２の底部は摩擦ブロック３と繋がり、摩擦ブロック３前端面に摩擦ワッシャー１８が固定される。【選択図】図１
0003201433.tif 000002
【実用新案登録請求の範囲】
【請求項１】
スムーズに移動できるスチールパイプ研磨機において、上ボディーフレーム（１）、下ボディーフレーム（１０）及び上ボディーフレーム（１）と下ボディーフレーム（１０）の間に設計された支え柱（９）を含み、その上ボディーフレーム（１）の中に第一フィードスクリュー（４）を設けてあり、その第一フィードスクリュー（４）とネジによって繋がった第一ネジスリーブ（２）があり、第一フィードスクリュー（４）の右側にパッシブラウンド（８）があり、そのパッシブラウンド（８）の上に駆動輪（６）があり、その駆動輪（６）とパッシブラウンド（８）の間にベルト（７）があり、その駆動輪（６）は第一駆動モーター（５）に繋がり、その第一駆動モーター（５）と上ボディーフレーム（１）とが連結され、第一ネジスリーブ（２）の底部は摩擦ブロック（３）と繋がり、摩擦ブロック（３）の前端面には摩擦ワッシャー（１８）が固定され、その下ボディーフレーム（１０）の真ん中にキャビティー（１９）があり、キャビティー（１９）の内部には第二フィードスクリュー（１４）と第三フィードスクリュー（１３）があり、第二フィードスクリュー（１４）と第三フィードスクリューはネジによって第二ネジスリーブ（１１）と繋がり、その第二ネジスリーブ（１１）上にブラケット（１５）があり、ブラケット（１５）上に第二駆動モーター（１７）があり、第二駆動モーター（１７）にはクランプ（20）が接続され、２つのクランプ（20）の間にはスチールパイプ（12）が設置され、そのスチールパイプ（12）と摩擦ワッシャー（18）とが繋がり、下ボディーフレーム（１０）の左側に第三駆動モーター（16）があり、その摩擦ブロック（3）の底部がキャビティー（１９）に嵌め込まれ、摩擦ブロック（３）の底に貫通穴（22）があり、貫通穴（22）の中ガイドバー（21）があり、ガイドバー（21）の左側と右側はそれぞれ支え柱（9）と繋がることを特徴とするスチールパイプ研磨機。
【請求項２】
請求項１に記載のスチールパイプ研磨機において、第二フィードスクリュー（14）と第三フィードスクリュー（13）のネジの方向が反対であることを特徴とするスチールパイプ研磨機。
【請求項３】
請求項１に記載のスチールパイプ研磨機において、摩擦ワッシャー（１８）は「C」型であることを特徴とするスチールパイプ研磨機。
【考案の詳細な説明】
【技術分野】
【０００１】
本実用新型はスチールパイプ加工分野に及び、特にこれが一種のスムーズに移動できるスチールパイプ研磨機である。
【背景技術】
【０００２】
スチールパイプは現代工業生産の中重要な役割を担い、液体と粉状固体、熱交換、機械部品と容器を製造することに運用するだけでなく、エコスチール材でもある。スチールパイプで建築構造フレーム、支柱と機械スタンドを作り、重量を削減でき、金属を20 〜 40％節約できる、それに、工場化機械化施工も実現できる。
【０００３】
スチールの未加工品は生産する前避けがたく空気中の水分で蝕まれ錆が出る。この錆びが加工過程に取りし難しいから、完成品のスチールパイプはやはり錆び取ることが必要、現有の技術では、作業者は一般に手で切断機を持って、アブレシブディスクを加えて錆とって研磨する。この工具の操作は作業者に一定の経験を要求し、一旦、研磨し過ぎたら、スチールの表面が損傷され、凸凹になり、無駄遣い、また、研磨の程度は甘いなら、錆がちゃんと取れない、加工は困難になる。
【考案の概要】
【考案が解決しようとする課題】
【０００４】
本実用新型解決する必要な問題は機械と電動措置迅速研磨の利用、操作経験必要なし、簡単に使えるスムーズに移動できるスチールパイプ研磨機を提供する。
【課題を解決するための手段】
【０００５】
本実用新型は以下の技術で実現できた：本実用新型の一種のスムーズに移動できるスチールパイプ研磨機は、上ボディーフレーム、下ボディーフレーム及び上ボディーフレームと下ボディーフレームの間に設計された支え柱を含め、その上ボディーフレームの中に第一フィードスクリューを設けてあり、その第一フィードスクリューの上その第一フィードスクリューネジと合わせて繋がった第一ネジスリーブ、第一フィードスクリューの右側にパッシブラウンドがあり、そのパッシブラウンドの上に駆動輪がある。その駆動輪とパッシブラウンドの間ベルトがあり、その駆動輪と第一駆動モーター繋がる。その第一駆動モーターと上ボディーフレームと繋がり、第一ネジスリーブの底部に摩擦ブロックと繋がり、摩擦ブロック前端面に摩擦ワッシャーが固定される。その下ボディーフレームの真ん中にキャビティーがあり、そのキャビティーの内部第二フィードスクリューと第三フィードスクリューがあり、第二フィードスクリューと第三フィードスクリューの上はネジと合わせた第二ネジスリーブと繋がり、その第二ネジスリーブのトップにブラケットがあり、ブラケットのトップに第二駆動モーターがあり、第二駆動モーターの向こう側にクランプがあり、クランプの間スチールパイプを設置し、そのスチールパイプと摩擦ワッシャーと繋がり、下ボディーフレームの左側に第三駆動モーターがあり、その摩擦ブロックの底部がキャビティーに嵌め込まれ、摩擦ブロックの底に貫通穴があり、貫通穴の中ガイドバーがあり、ガイドバーの左側と右側にそれぞれ支え柱と繋がる。
【０００６】
より一層技術方策、前述した第二フィードスクリュー（14）と第三フィードスクリュー（13）のネジの方向が反対である。
【０００７】
より一層技術方策、摩擦ワッシャー（１８）は「C」型である。
【考案の効果】
【０００８】
本実用新型の有益な効果：本実用新型の構造は簡単で、使用し易い、機械と電動措置の急速な磨き上げ機能を利用し、作業者の経験にあまり要求がない、操作が簡単で、時間を節約し、加工効率も上げる。
【図面の簡単な説明】
【０００９】
【図１】本実用新型のスムーズに移動できるスチールパイプ研磨機の構造の見取り図。
【図２】本実用新型の摩擦ブロック構造の見取り図。
【考案を実施するための形態】
【００１０】
図1-図2のように、本実用新型のスムーズに移動できるスチールパイプ研磨機は、上ボディーフレーム１、下ボディーフレーム１０及び上ボディーフレーム１と下ボディーフレーム１０の間に設計された支え柱９を含め、その上ボディーフレーム１の中に第一フィードスクリュー４を設けてあり、その第一フィードスクリュー４の上その第一フィードスクリュー４ネジと合わせて繋がった第一ネジスリーブ２、第一フィードスクリュー４の右側にパッシブラウンド８があり、そのパッシブラウンド８の上に駆動輪６がある。その駆動輪６とパッシブラウンド８の間ベルト７があり、その駆動輪６と第一駆動モーター５繋がる。その第一駆動モーター５と上ボディーフレーム１と繋がり、第一ネジスリーブ２の底部に摩擦ブロック３と繋がり、摩擦ブロック３前端面に摩擦ワッシャー１８が固定される。その下ボディーフレーム１０の真ん中にキャビティー１９があり、そのキャビティー１９の内部第二フィードスクリュー１４と第三フィードスクリュー１３があり、第二フィードスクリュー１４と第三フィードスクリューの上はネジと合わせた第二ネジスリーブ１１と繋がり、その第二ネジスリーブ１１のトップにブラケット１５があり、ブラケット１５のトップに第二駆動モーター１７があり、第二駆動モーター１７の向こう側にクランプ20があり、クランプ20の間スチールパイプ12を設置し、そのスチールパイプ12と摩擦ワッシャー18と繋がり、下ボディーフレーム１０の左側に第三駆動モーター16があり、その摩擦ブロック3の底部がキャビティー１９に嵌め込まれ、摩擦ブロック３の底に貫通穴22があり、貫通穴22の中ガイドバー21があり、ガイドバー21の左側と右側にそれぞれ支え柱9と繋がる。
【００１１】
その中、前述した第二フィードスクリュー（14）と第三フィードスクリュー（13）のネジの方向が反対で、摩擦ワッシャー（１８）は「C」型である。
本実用新型の有益な効果：本実用新型の構造は簡単で、使用し易い、機械と電動措置の急速な磨き上げ機能を利用し、作業者の経験にあまり要求がない、操作が簡単で、時間を節約し、加工効率も上げる。
【００１２】
以上はただ本実用新型の具代的な実施方法であるが、本実用新型の保護範囲はこれだけではない、あらゆる創造性付きな労働でない想像できた変化と取替えは、皆本実用新型の保護範囲以内に属するべきである。だから、本実用新型の保護範囲は権利要求書が限定した保護範囲を基準にするべきである。
【符号の説明】
【００１３】
１  上ボディーフレーム
２  第一ネジスリーブ
４  第一フィードスクリュー
８  パッシブラウンド
９  支え柱
１０  下ボディーフレーム
【図１】
0003201433.tif 000003
【図２】
0003201433.tif 000004